(57)【要約】【課題】表示画像の輝度を高めることができるスクリーンを提供すること。【解決手段】所定の出射位置から斜方入射される光に応じた画像を表示するスクリーン１Ａであって、入射される光を反射させるレンズ要素３が複数形成された反射面２１を有するスクリーン本体２と、反射面２１に対して光の入射側に配置される第１層（基板６）と、スクリーン本体２と第１層との間に介装される第２層（空気層ＡＬ）と、を有し、第１層は、第２層より屈折率が高く、第１層は、入射された前記光が透過する領域の少なくとも一部に、出射位置から離れるに従って厚さ寸法が連続的に大きくなるように形成された角度変更部６３を有する。【選択図】図５
2013011666.tif 000002
【特許請求の範囲】
【請求項１】
所定の出射位置から斜方入射される光に応じた画像を表示するスクリーンであって、
入射される前記光を反射させるレンズ要素が複数形成された反射面を有するスクリーン本体と、
前記反射面に対して前記光の入射側に配置される第１層と、
前記スクリーン本体と前記第１層との間に介装される第２層と、を有し、
前記第１層は、前記第２層より屈折率が高く、
前記第１層は、入射された前記光が透過する領域の少なくとも一部に、前記出射位置から離れるに従って厚さ寸法が連続的に大きくなるように形成された角度変更部を有する
ことを特徴とするスクリーン。
【請求項２】
請求項１に記載のスクリーンにおいて、
前記角度変更部は、
前記出射位置側の面である平面状の第１面と、
前記スクリーン本体側の面である平面状の第２面と、
前記第１面及び前記第２面における前記出射位置から離れた端部間を接続する方向に延出する第３面とを有し、
前記第１層は、前記角度変更部が１つの単位形状として複数形成された構成を有し、
それぞれの前記角度変更部の第１面は、前記第１層において前記出射位置側の面を構成し、
それぞれの前記角度変更部の第２面は、前記第１層において前記スクリーン本体側の面を構成する
ことを特徴とするスクリーン。
【請求項３】
請求項２に記載のスクリーンにおいて、
それぞれの前記角度変更部は、前記第１層における正面と、当該第１層における背面と、これら正面又は背面の延長面とのいずれかの面上に設定された第１基準点を中心とする同心真円状に形成され、前記第１基準点からの放射方向に沿って配列されている
ことを特徴とするスクリーン。
【請求項４】
請求項３に記載のスクリーンにおいて、
それぞれの前記レンズ要素は、前記反射面及び当該反射面の延長面のいずれかの面上に設定された第２基準点を中心とする略円弧状の基準線に沿って配列されている
ことを特徴とするスクリーン。
【請求項５】
請求項４に記載のスクリーンにおいて、
前記角度変更部の配列周期と、前記レンズ要素の配列周期とは異なり、
前記レンズ要素における前記第２基準点からの放射方向の寸法は、当該レンズ要素に対応する前記角度変更部における前記第１基準点からの放射方向の寸法の整数倍でない
ことを特徴とするスクリーン。
【請求項６】
請求項１から請求項５のいずれかに記載のスクリーンにおいて、
前記第１層における前記出射位置側の面と前記スクリーン本体側の面との少なくともいずれかは、反射防止層を有する
ことを特徴とするスクリーン。
【請求項７】
請求項１から請求項６のいずれかに記載のスクリーンにおいて、
前記第１層における前記出射位置側の面は、平面である
ことを特徴とするスクリーン。
【発明の詳細な説明】
【技術分野】
【０００１】
本発明は、画像を表示するスクリーンに関し、特に、プロジェクター等の画像投射装置から斜方入射される投射光に応じた画像を表示するスクリーンに関する。
【背景技術】
【０００２】
従来、プロジェクター等の画像投射装置から投射された画像を表示するスクリーンが知られている。このようなスクリーンとして、プロジェクターとの距離が短い場合でも、当該プロジェクターから入射された光を正面側の観察位置に反射できるスクリーンが知られている（例えば、特許文献１参照）。
この特許文献１に記載のスクリーンでは、入射面に凹状のレンズ要素が複数配列されており、当該各レンズ要素の表面には、光反射層が形成されている。これら光反射層に入射された光のうち、一部の光は、前述の観察位置に反射され、当該観察位置にて画像として視認される。
【先行技術文献】
【特許文献】
【０００３】
【特許文献１】特開２０１０−９６８８３号公報
【発明の概要】
【発明が解決しようとする課題】
【０００４】
ところで、前述の特許文献１に記載のようなスクリーンに投射光が斜方入射される場合、スクリーンの入射面の法線と、当該入射面に入射される投射光の光路との角度が比較的小さいと、各レンズ要素に入射される光線の幅が広い。このように光線の幅が広いと、前述の各レンズ要素の広範囲に、密度が低い光が入射されることとなる。このような場合、前述の光反射層において、入射された光を観察位置に有効に反射させる有効反射領域に入射される光量が少ないため、表示画像の輝度がそれほど高くないという問題がある。
【０００５】
本発明の目的は、表示画像の輝度を高めることができるスクリーンを提供することである。
【課題を解決するための手段】
【０００６】
前記した目的を達成するために、本発明のスクリーンは、所定の出射位置から斜方入射される光に応じた画像を表示するスクリーンであって、入射される前記光を反射させるレンズ要素が複数形成された反射面を有するスクリーン本体と、前記反射面に対して前記光の入射側に配置される第１層と、前記スクリーン本体と前記第１層との間に介装される第２層と、を有し、前記第１層は、前記第２層より屈折率が高く、前記第１層は、入射された前記光が透過する領域の少なくとも一部に、前記出射位置から離れるに従って厚さ寸法が連続的に大きくなるように形成された角度変更部を有することを特徴とする。
【０００７】
なお、反射面に形成されるレンズ要素は、凹曲面を有するレンズ要素を例示できる。また、以下の説明で反射面の法線という場合、当該反射面の各レンズ要素により形成される凹凸を平均化した仮想平面の法線を示す。
【０００８】
本発明によれば、所定の出射位置から出射された光は、第１層に入射されて内部を透過した後、当該第１層より屈折率の低い第２層を介してスクリーン本体に入射される。この第１層において当該光が透過する領域内には、角度変更部が形成されている。この角度変更部は、出射位置から離れるに従って厚さ寸法が連続的に大きくなるように形成されているので、出射位置側の面とスクリーン本体側の面とは、一方に対して他方が傾斜した傾斜面となる。このような角度変更部を透過する光には、出射位置側の面と、スクリーン本体側の面とで屈折が生じるが、当該傾斜面により、スクリーン本体に向かう光の進行方向は、当該光の到達位置が出射位置からより離れた位置となるように変更される。このため、第１層及び第２層が無い場合に比べて、スクリーン本体の反射面に入射される光の入射角（前述の仮想平面の法線と反射面に入射される光の光路との交差角）を大きくすることができる。このような構成により、反射面に入射される光線の幅を、第１層及び第２層が無い場合に比べて小さくすることができ、光の密度を高めることができる。従って、レンズ要素において、所定の位置（例えば、観察位置）に光を反射させる有効反射領域に入射される光の光量を多くすることができるので、スクリーンに表示される画像の輝度を向上できる。
【０００９】
本発明では、前記角度変更部は、前記出射位置側の面である平面状の第１面と、前記スクリーン本体側の面である平面状の第２面と、前記第１面及び前記第２面における前記出射位置から離れた端部間を接続する方向に延出する第３面とを有し、前記第１層は、前記角度変更部が１つの単位形状として複数形成された構成を有し、それぞれの前記角度変更部の第１面は、前記第１層において前記出射位置側の面を構成し、それぞれの前記角度変更部の第２面は、前記第１層において前記スクリーン本体側の面を構成することが好ましい。
【００１０】
本発明によれば、第１層における所定の出射位置側の面と、スクリーン本体側の面との少なくともいずれかの断面形状は、鋸歯状となる。このため、第１層が１つの角度変更部により構成されている場合（第１層における所定の出射位置側の面とスクリーン本体側の面とが１つの角度変更部の第１面及び第２面により構成される場合）に比べ、第１層の厚さ寸法（第１層に入射された光が進行する方向の寸法）を小さくすることができる。従って、スクリーンの厚さ寸法が不要に大きくなることを抑制できる。
【００１１】
本発明では、それぞれの前記角度変更部は、前記第１層における正面と、当該第１層における背面と、これら正面又は背面の延長面とのいずれかの面上に設定された第１基準点を中心とする同心真円状に形成され、前記第１基準点からの放射方向に沿って配列されていることが好ましい。
【００１２】
本発明によれば、第１基準点を通り、かつ、反射面の法線に沿う方向に前述の光の出射位置が設定されている場合に、当該出射位置から出射された光は、当該光が入射される角度変更部における円弧の接線に対して垂直に入射される。このような構成によれば、それぞれの角度変更部を介してスクリーン本体のレンズ要素に入射される光の入射角を最も大きくすることができる。従って、有効反射領域に入射される光の光量を確実に増加させることができ、表示画像の輝度を一層向上できる。
【００１３】
本発明では、それぞれの前記レンズ要素は、前記反射面及び当該反射面の延長面のいずれかの面上に設定された第２基準点を中心とする略円弧状の基準線に沿って配列されていることが好ましい。
【００１４】
なお、第１基準点及び第２基準点の位置は、スクリーンを正面視した場合（光の出射位置側から観察した場合）に一致していてもよく、異なっていてもよい。また、基準線の軌跡は、真円又は楕円の一部を構成する円弧状でもよく、当該円弧に直線及び曲線を付加した円弧状でもよい。
本発明によれば、互いに平行な直線状の基準線に沿ってレンズ要素が複数配列されたスクリーン本体が用いられる場合に比べ、各レンズ要素において入射された光を所定の位置（例えば、表示画像の観察位置）に反射可能な有効反射領域に、光を入射させやすくすることができる。従って、表示画像の輝度を向上できる。
【００１５】
本発明では、前記角度変更部の配列周期と、前記レンズ要素の配列周期とは異なり、前記レンズ要素における前記第２基準点からの放射方向の寸法は、当該レンズ要素に対応する前記角度変更部における前記第１基準点からの放射方向の寸法の整数倍でないことが好ましい。
【００１６】
ここで、角度変更部からスクリーン本体に向けて出射される光のうち、第３面から出射される光は、レンズ要素における前述の有効反射領域に入射しづらい。換言すると、当該第３面から出射される光は、認識される画像を形成する光となりづらい。このため、第１基準点の位置と第２基準点の位置とが、スクリーンを正面視した際に一致する状態で、角度変更部の配列周期とレンズ要素の配列周期とが一致し、かつ、レンズ要素における第２基準点からの放射方向の寸法が、当該角度変更部における第１基準点からの放射方向の寸法の整数倍である場合には、各レンズ要素において第３面から出射された光の入射位置が固定されてしまうため、表示画像に輝度むらが生じてしまう。
【００１７】
これに対し、本発明では、角度変更部の配列周期と、レンズ要素の配列周期とが異なり、更に、レンズ要素における第２基準点からの放射方向の寸法が、角度変更部における第１基準点からの放射方向の寸法の整数倍でない。これによれば、第１基準点の位置と第２基準点の位置とが、スクリーンを正面視した際に一致する状態でも、各レンズ要素において、第３面から出射された光の入射位置をばらつかせることができるので、スクリーン全体で反射される光を均一化できる。従って、表示画像に輝度むらが生じることを抑制できる。
【００１８】
本発明では、前記第１層における前記出射位置側の面と前記スクリーン本体側の面との少なくともいずれかは、反射防止層を有することが好ましい。
このような反射防止層としては、表面反射を軽減して透過率を向上させるフィルム又は膜を例示できる。
本発明によれば、当該各面の少なくともいずれかに反射防止層が形成されているので、第１層に入射される光の光量を増加させることができる。従って、表示画像の輝度を一層向上できる。
【００１９】
本発明では、前記第１層における前記出射位置側の面は、平面であることが好ましい。
ここで、プロジェクター及びスクリーンは、プレゼンテーション等で利用されることが多いが、当該プレゼンテーションの場では、表示画像を指し棒等で指したり、或いは、当該画像に文字等を記入する場合がある。この際、スクリーンの表面に凹凸があると、このような操作を行いづらい。
【００２０】
これに対し、本発明では、第１層における所定の出射位置側の面が平面であるので、当該操作を行いやすくすることができる。従って、スクリーンの汎用性を向上できる。なお、このような効果は、基板に沿って移動する電子ペンの軌跡を取得して、当該軌跡に応じた線を、表示画像中に描画するインタラクティブホワイトボードシステムにおいて、より好適に奏することができる。
【図面の簡単な説明】
【００２１】
【図１】本発明の第１実施形態に係るスクリーンの使用態様を示す側面図。
【図２】前記実施形態におけるスクリーン本体を示す正面図。
【図３】前記実施形態におけるレンズ要素を示す斜視図。
【図４】前記実施形態におけるレンズ要素を示す斜視図。
【図５】前記実施形態におけるスクリーンを示す断面図。
【図６】前記実施形態における基板を示す正面図。
【図７】前記実施形態におけるスクリーンの下端近傍に位置する角度変更部を示す断面図。
【図８】前記実施形態におけるスクリーンの中央近傍に位置する角度変更部を示す断面図。
【図９】前記実施形態におけるスクリーンの上端近傍に位置する角度変更部を示す断面図。
【図１０】前記実施形態におけるスクリーン本体に投射光を直接入射させた場合の光路を説明する図。
【図１１】本発明の第２実施形態に係るスクリーンを示す断面図。
【図１２】本発明の第３実施形態に係るスクリーンを示す断面図。
【発明を実施するための形態】
【００２２】
［第１実施形態］
以下、本発明の第１実施形態について、図面に基づいて説明する。
〔スクリーンの機能〕
図１は、本実施形態に係るスクリーン１Ａの使用態様を示す側面図である。
なお、以下の説明では、説明の便宜上、スクリーン１Ａにおいて、プロジェクター９が設置される側を正面側、当該正面側の反対側を背面側として記載する。また、スクリーン１Ａを正面視した際の右方向をＸ方向とし、鉛直方向（自重が掛かる方向）をＹ方向とし、更に、スクリーン１Ａの正面の法線に沿って当該スクリーン１Ａから離間する方向をＺ方向とする。
【００２３】
本実施形態に係るスクリーン１Ａは、図１に示すように、当該スクリーン１Ａの正面側下方に位置するプロジェクター９（詳しくは、投射光学装置の位置である出射位置ＰＰ）から斜方入射される投射光ＰＬを正面側に反射して、当該投射光により形成される画像を表示する反射型スクリーンである。このスクリーン１Ａに入射された投射光ＰＬは、当該正面の中心における法線方向（すなわちＺ方向）に設定された観察位置ＶＰに向けて反射される。これにより、観察位置ＶＰに位置する観察者ＶＲは、表示された画像を観察できる。
【００２４】
ここで、スクリーン１Ａに画像を形成する投射光ＰＬを投射するプロジェクター９の構成について説明する。
プロジェクター９は、詳しい図示を省略するが、光源装置、色分離光学装置、光変調装置、色合成光学装置及び投射光学装置を有し、投射光ＰＬの中心軸がスクリーン１Ａの中心点ＣＰを通るように配置される。このプロジェクター９では、色分離光学装置により、光源装置から出射された光束が赤（Ｒ）、緑（Ｇ）及び青（Ｂ）の各色光に分離され、３つの液晶パネルを有する光変調装置により、各色光が画像情報に応じてそれぞれ変調される。そして、色合成光学装置により、変調された各色光が合成され、投射光学装置により、合成された光（画像光）が投射される。
【００２５】
このようなプロジェクター９は、上記構成の他、光変調装置により変調された光（画像光を含む）を円偏光に変換する位相差板（λ／４板）を有する。このため、投射光学装置が投射する光は、円偏光により形成された光である。これは、スクリーン１Ａの後述する基板６を投射光が透過する際に、赤（Ｒ）、緑（Ｇ）及び青（Ｂ）の各色光間の明るさに差が出て色味が変化してしまうことを抑えるためである。なお、各色光を形成する円偏光の回転方向は、一致していることが好ましい。
【００２６】
〔スクリーンの概略構成〕
スクリーン１Ａは、スクリーン本体２と、当該スクリーン本体２の正面側に位置する透光性の基板６と、当該スクリーン本体２及び基板６の間に介装される空気層ＡＬと、を有する。これらのうち、基板６は、本発明の第１層に相当し、また、空気層ＡＬは、本発明の第２層に相当する。
【００２７】
〔スクリーン本体の構成〕
図２は、スクリーン本体２を示す正面図である。なお、図２においては、基準線ＳＬ１のうち代表的な基準線ＳＬ１を図示しており、実際にはより細かい間隔で当該基準線ＳＬ１は設定されている。また、図２においては、図示された基準線ＳＬ１の符号も一部省略する。
スクリーン本体２は、基板６及び空気層ＡＬを透過して入射される投射光ＰＬを反射させる。このスクリーン本体２により反射された投射光ＰＬは、再び空気層ＡＬ及び基板６を透過し、観察位置ＶＰに向けて出射される。このスクリーン本体２は、図２に示すように、正面側から見て横長の略長方形状に形成されており、当該スクリーン本体２の正面２１は、基板６及び空気層ＡＬを介して投射光ＰＬが入射される入射面であり、また、当該投射光ＰＬを反射させる反射面でもある。すなわち、正面２１は、本発明の反射面に相当する。
【００２８】
このような正面２１には、当該正面２１の延長面２２上に予め設定された基準点ＳＰ１を中心とした所定範囲内の領域２３（図２における斜線部分）と、当該領域２３外の領域２４とが設定され、これら各領域２３，２４には、後述するレンズ要素３（図３及び図４参照）が配列されている。なお、基準点ＳＰ１は、本発明の第２基準点に相当し、本実施形態では、中心点ＣＰを通る鉛直線である中心線ＣＬ上に設定されており、スクリーン１Ａを正面視した際には、出射位置ＰＰと一致する位置に設定されている。
【００２９】
領域２３内には、それぞれ基準点ＳＰ１を中心とする同心円（円及び楕円を含む）の一部を構成する円弧状の仮想の基準線ＳＬ１に沿って、第１凹部４（図３参照）からなるレンズ要素３Ａが配置される。また、領域２４内には、当該基準線ＳＬ１に沿って、第１凹部４と、当該第１凹部４に対して基準点ＳＰ１寄りの位置に隣接して形成される第２凹部５（図４参照）とにより構成されるレンズ要素３Ｂが配置される。これら基準線ＳＬ１は、本発明の基準線に相当する。
【００３０】
これら領域２３，２４に設定される基準線ＳＬ１の間隔は、基準点ＳＰ１から離れるに従って大きくなるように設定されており、これにより、基準点ＳＰ１から離れるに従って、レンズ要素３Ａ，３Ｂの中心間距離は大きくなる。また、レンズ要素３Ａ，３Ｂの基準点ＳＰ１からの放射方向（図３及び図４におけるＡ方向）の寸法も、当該基準点ＳＰ１から離れるに従って大きくなるように設定されている。更に、基準線ＳＬ１に沿う方向のレンズ要素３Ａ，３Ｂの間隔は、基準点ＳＰ１からの放射方向と中心線ＣＬとのなす角が、４５度の時に最も大きく、当該角度が４５度から０度に向かうに従って、及び、当該角度が４５度から９０度に向かうに従って小さくなるように設定されている。
このような配列パターンに応じて、基準点ＳＰ１に近い基準線ＳＬ１は、図２に示したように、長径がＹ方向に沿う縦長楕円の一部を構成する円弧状となり、当該基準点ＳＰ１から離れるに従って、基準線ＳＬの軌跡は、長径がＸ方向に沿う横長楕円の一部を構成する円弧状に変化する。このため、基準点ＳＰ１から所定寸法離れた基準線ＳＬ１の軌跡は、真円の一部を構成する円弧状となる。
以下、正面２１及び延長面２２に沿って基準点ＳＰ１から放射状に延出する方向（放射方向）をＡ方向と記載及び図示する。
【００３１】
〔レンズ要素の構成〕
図３は、レンズ要素３Ａを示す斜視図である。
第１凹部４により構成されるレンズ要素３Ａは、前述の基準線ＳＬ１に沿って配列され、これにより、領域２３には、当該基準線ＳＬ１に沿う複数のレンズ要素３Ａにより構成されるレンズ列が複数形成される。
このようなレンズ要素３Ａは、図３に示すように、投射光ＰＬが入射される所定の曲率の凹曲面をそれぞれ有し、当該凹曲面には、入射された光を反射させる反射層４１が形成されている。この反射層４１が形成される領域内には、入射される投射光ＰＬを反射させて前述の観察位置ＶＰに導く有効反射領域ＡＲが含まれる。このような反射層４１は、高反射性を有する白色塗料をスプレー等で塗布するか、或いは、アルミや銀を斜方から蒸着する等して形成される。
【００３２】
図４は、レンズ要素３Ｂを示す斜視図である。
第１凹部４及び第２凹部５により構成されるレンズ要素３Ｂは、前述の基準線ＳＬ１に沿って配列され、これにより、領域２４には、当該基準線ＳＬ１に沿う複数のレンズ要素３Ｂにより構成されるレンズ列が複数形成される。
これらのうち、第２凹部５は、図４に示すように、第１凹部４に対して基準点ＳＰ１寄りの位置に当該第１凹部４に隣接して形成されている。これら第２凹部５は、第２凹部５と、当該第２凹部５に対して基準点ＳＰ１側とは反対側に隣接する第１凹部４との間の稜線を低くして、反射層４１（詳しくは有効反射領域ＡＲ）に投射光ＰＬを入射させる機能を有する。
【００３３】
〔基板の構成〕
図５は、スクリーン１Ａの縦断面（上下方向の断面）を示す図である。なお、図５は、前述のＡ方向及びＢ方向と、Ｚ方向とに沿う平面におけるスクリーン１Ａの中央近傍の断面を模式的に示す図であり、当該図５においては、各レンズ要素３を半円状に省略して図示する。また、あるレンズ要素３に入射される投射光ＰＬのうち、有効反射領域ＡＲに入射される投射光ＰＬの範囲を点線の矢印により示す。
基板６は、前述のように、透光性を有する樹脂（例えば透明塩化ビニル樹脂）又はガラス等により、スクリーン本体２の縦横（Ｙ方向及びＸ方向）の寸法と略同寸法に形成され、スクリーン本体２の正面側に所定の厚さ寸法の空気層ＡＬを介して配置される。この基板６は、図５に示すように、プロジェクター９から入射された投射光ＰＬをスクリーン本体２の反射面である正面２１に導く際に、当該正面２１に入射される投射光ＰＬの入射角（正面２１の法線と投射光ＰＬの光路との角度）を基板６が設けられていない場合に比べて大きくして、当該投射光ＰＬを正面２１に入射させる機能を有する。換言すると、基板６は、スクリーン本体２の有効反射領域ＡＲに入射される光の密度を高める機能を有する。なお、正面２１には、凹曲面状のレンズ要素３が複数形成されているので、正面２１の法線という場合には、当該正面２１の凹凸を平均化した仮想平面の法線を意味する。
【００３４】
基板６は、プロジェクター９からの投射光ＰＬが直接入射される平面状の正面６１と、当該正面６１から入射された投射光ＰＬが内部を透過した後にスクリーン本体２に向けて出射される断面視鋸歯状の背面６２とを有する。
これらのうち、背面６２は、正面２１にて反射された光が入射される入射面でもあり、また、正面６１は、背面６２から入射された投射光ＰＬが出射される出射面でもある。なお、正面６１は、本実施形態では、正面２１（詳しくは、前述の仮想平面）と略平行となるように配置される。
これら正面６１及び背面６２の表面には、反射防止層が形成されている。このため、正面６１では、プロジェクター９からの投射光ＰＬの正面６１での散乱が抑制され、背面６２では、スクリーン本体２から入射される光が好適に基板６内部に導かれる。
【００３５】
〔角度変更部の構成〕
図６は、角度変更部６３の基準線ＳＬ２を示す図である。なお、図６では、基準線ＳＬ２を実線で示し、前述の基準線ＳＬ１を点線で示すが、これら基準線ＳＬ１，ＳＬ２のうち代表的な基準線ＳＬ１，ＳＬ２を図示しており、実際にはより細かい間隔で当該基準線ＳＬ１，ＳＬ２は設定されている。また、図６においては、図示された基準線ＳＬ１，ＳＬ２の符号も一部省略する。
このような基板６において投射光ＰＬが入射される領域には、１つの単位形状である角度変更部６３が複数形成されている。具体的に、それぞれの角度変更部６３は、図６に示すように、正面６１の延長面６１Ａ上に設定された基準点ＳＰ２を中心とする同心真円の一部を構成する複数の基準線ＳＬ２沿って形成されている。なお、この基準点ＳＰ２は、本発明の第１基準点に相当する。
【００３６】
すなわち、角度変更部６３において後述する第３面６３３が当該基準線ＳＬ２に沿うように、それぞれの角度変更部６３は、同心真円状に形成されている。また、詳しくは後述するが、角度変更部６３の周期とレンズ要素３の周期とは異なっている。そして、これら角度変更部６３がＢ方向に沿って隣接して配列されている。なお、Ｂ方向は、正面６１及び延長面６１Ａに沿って基準点ＳＰ２からの放射方向である。
このような基準点ＳＰ２の位置は、本実施形態では、スクリーン１Ａを正面視した際に基準点ＳＰ１及び出射位置ＰＰと一致する位置に設定されているが、異なっていてもよい。なお、当該スクリーン１Ａの正面視で、出射位置ＰＰと重なる位置であることが、詳しくは後述するが、基板６の機能として好ましい。
【００３７】
それぞれの角度変更部６３は、図５に示すように、断面視略直角台形状（互いに平行な二辺と、当該二辺を接続する一辺とが直交する台形状）に形成され、前述の出射位置ＰＰから離れるに従って厚さ寸法（Ｚ方向の寸法）が大きくなる。すなわち、各角度変更部６３は、Ｂ方向に向かうに従って厚さ寸法が大きくなる。
このような角度変更部６３は、断面視略直角台形状において前記一辺を構成する第１面６３１と、当該一辺の対辺を構成する第２面６３２と、当該第１面６３１及び第２面６３２における基準点ＳＰ２から離れた端部間を接続する方向に延出する第３面６３３とを有する。なお、第１面６３１及び第２面６３２における基準点ＳＰ２寄りの端部間を接続する方向に延出する面については、各角度変更部６３が互いに一体的に基板６に形成されているため、当該基板６における基準点ＳＰ２側の端面（下端面）以外では観察されない。
【００３８】
第１面６３１は、平面状に形成されており、正面６１をそれぞれ構成する。
第３面６３３は、基板６においては、Ｂ方向に互いに隣接する各角度変更部６３の第２面６３２の端部間を接続する。
第２面６３２は、平面状に形成されており、第３面６３３とともに鋸歯状の背面６２を構成する。この第２面６３２は、角度変更部６３の内部（基板６の内部）を透過した投射光ＰＬをスクリーン本体２に向けて出射するとともに、当該スクリーン本体２にて反射された投射光ＰＬが入射される面である。
このような第２面６３２は、Ｂ方向に向かうに従って第１面６３１から離間する方向に傾斜している。換言すると、第２面６３２は、Ｂ方向に向かうに従ってスクリーン本体２に近接する方向に傾斜している。
【００３９】
図７〜９は、スクリーン１Ａにおける基準点ＳＰ２に近い角度変更部６３、中央近傍の角度変更部６３、及び、基準点ＳＰ２から遠い角度変更部６３のＢＺ平面での断面をそれぞれ示す図である。なお、図７〜９においては、プロジェクター９から入射される投射光ＰＬの光路を点線で示し、前述の有効反射領域ＡＲにて反射された投射光ＰＬが基板６を介して観察位置ＶＰに向かう光路を一点鎖線で示している。
この第２面６３２の傾斜角θ１（第１面６３１と平行な面に対する交差角θ１）は、図７〜９に示すように、角度変更部６３の形成位置に応じて設定されている。すなわち、角度変更部６３の形成位置がＢ方向に向かうに従って、当該傾斜角θ１は小さくなるように設定される。
【００４０】
具体的に、図７及び図８に示すように、基板６の中央近傍に形成された角度変更部６３の第２面６３２の傾斜角θ１は、当該角度変更部６３に対して基準点ＳＰ２に近い位置（出射位置ＰＰ寄りの位置）に形成された角度変更部６３の第２面６３２の傾斜角θ１より小さい。また、図８及び図９に示すように、中央近傍に形成された角度変更部６３に対して基準点ＳＰ２から遠い位置（出射位置ＰＰから遠い位置）に形成された角度変更部６３の第２面６３２の傾斜角θ１は、当該中央近傍に形成された角度変更部６３の第２面の傾斜角θ１より小さい。
なお、本実施形態では、基板６の中央近傍に形成された角度変更部６３（図８で示した角度変更部６３）における第２面６３２の傾斜角θ１は、略５度に設定されている。また、基準点ＳＰ２に近い位置の角度変更部６３（図７で示した角度変更部６３）における第２面６３２の傾斜角θ１は、略２２度に設定され、基準点ＳＰ２から遠い位置の角度変更部６３（図９で示した角度変更部６３）における第２面６３２の傾斜角θ１は、略３度に設定されている。しかしながら、これら傾斜角θ１は適宜設定してよい。
【００４１】
このような傾斜角θ１の設定は、プロジェクター９からの投射光ＰＬの入射角が、当該プロジェクター９から離れるに従って大きくなることに起因している。
すなわち、図７に示すように、基準点ＳＰ２に近い位置に形成された角度変更部６３（出射位置ＰＰに近い角度変更部６３）には、図８で示した中央近傍の角度変更部６３よりも小さな入射角θ２で投射光ＰＬ（ＰＬ１）が入射される。このため、第２面６３２にて屈折させて、当該入射角θ２より正面２１に対する投射光ＰＬ１の入射角を大きくするために、第２面６３２の傾斜角θ１を、基板６の中央近傍の角度変更部６３における第２面６３２の傾斜角θ１より大きく設定している。
なお、当該角度変更部６３を介して正面２１に入射され、前述の有効反射領域ＡＲで反射されて第２面６３２に入射された投射光ＰＬ（ＰＬ２）は、図７における一点鎖線で示すように、第１面６３１から前述の観察位置ＶＰに向けて上向きに出射される。
【００４２】
一方、図９に示すように、基準点ＳＰ２から遠い位置に形成された角度変更部６３（出射位置ＰＰから遠い角度変更部６３）には、中央近傍の角度変更部６３よりも大きな入射角θ２で投射光ＰＬ１が入射される。このため、第２面６３２にて屈折させて、当該入射角θ２より正面２１に対する投射光ＰＬ１の入射角を大きくするために、第２面６３２の傾斜角θ１を、基板６の中央近傍の角度変更部６３における第２面６３２の傾斜角θ１より小さく設定している。
なお、当該角度変更部６３を介して正面２１に入射され、前述の有効反射領域ＡＲで反射されて第２面６３２に入射された投射光ＰＬ２は、図９における一点鎖線で示すように、第１面６３１から観察位置ＶＰに向けて下向きに出射される。
また、正面２１に入射され、前述の有効反射領域ＡＲで反射されて、基板６における中央近傍の角度変更部６３に入射された投射光ＰＬ２は、図８における一点鎖線で示すように、第１面６３１から観察位置ＶＰに向けて略水平に出射される。
【００４３】
〔基板の作用〕
図１０は、スクリーン本体２にプロジェクター９からの投射光ＰＬを直接入射させた場合の当該投射光ＰＬの光路を説明する図である。なお、図１０では、図５と同様にスクリーン本体２における中央近傍のレンズ要素３に入射される投射光ＰＬの光路を示している。
スクリーン本体２の正面２１における中央近傍に、プロジェクター９からの投射光ＰＬを直接入射させる場合、図１０に示すように、当該投射光ＰＬは入射角θＡで正面２１に入射される。この入射角θＡは、基板６の同位置に入射される投射光ＰＬの入射角、すなわち、図５及び図８において示した入射角θ２と同じ角度である。
【００４４】
これに対し、基板６に入射された投射光ＰＬは、図５に示したように、プロジェクター９から基板６までの間の空気層と当該基板６との界面（第１面６３１）、及び、基板６と空気層ＡＬとの界面（第２面６３２）において屈折が生じる。一方、正面２１に投射光ＰＬを出射する第２面６３２は、Ｂ方向先端側に向かうに従って厚さ寸法が大きくなるように、第１面６３１、及び、正面２１の凹凸を平均化した前述の仮想平面に対して傾斜している。このため、第２面６３２から出射される投射光ＰＬの光路は、基板６が無い場合に比べてより上向き（図５における上向きであり、当該投射光ＰＬの到達位置が出射位置ＰＰからより離れる方向）に変更され、ひいては、正面２１に対する当該投射光ＰＬの入射角θ３は、入射角θ２に比べて大きくなる。このような角度変化は、それぞれの角度変更部６３で生じる。
【００４５】
この入射角θ３で入射される投射光ＰＬは、入射角θ２で入射される場合に比べて狭い範囲で個々のレンズ要素３の面（凹曲面）に入射される。すなわち、各第１面６３１に広い範囲で入射された光束は、各第２面６３２及び各第３面６３３により構成される背面６２から狭い範囲で出射される。この正面６１に入射される投射光ＰＬの光量と、背面６２から出射される投射光ＰＬの光量とは、各界面での光の損失を除けば略同じであるので、基板６に入射された投射光ＰＬの密度を高めて、当該投射光ＰＬを個々のレンズ要素３の面に入射させることができる。
また、正面２１に対して大きな入射角θ３で投射光ＰＬが入射されることにより、当該投射光ＰＬは、各レンズ要素３におけるＡ方向側の領域に入射されやすくなる。この投射光ＰＬの入射領域内には、前述の有効反射領域ＡＲが含まれている。このため、当該有効反射領域ＡＲに入射される投射光ＰＬの光量を、基板６が設けられていない場合に比べて増加させることができ、これにより、スクリーン１Ａに表示される画像の輝度を高めることができる。
【００４６】
〔角度変更部の周期〕
前述のように、それぞれの角度変更部６３は、基準線ＳＬ２に沿って略同心真円状に形成され、これらがＢ方向に沿って配列されている。
また、本実施形態では、当該Ｂ方向における各角度変更部６３の配列周期と、Ａ方向における各レンズ要素３の配列周期とは異なる。更に、それぞれの角度変更部６３におけるＢ方向の寸法は、当該角度変更部６３から出射された光が入射されるレンズ要素３におけるＡ方向の寸法と一致しないように設定されている。詳述すると、レンズ要素３におけるＡ方向の寸法と、当該レンズ要素３に向けて光を出射する角度変更部６３におけるＢ方向の寸法の整数倍とは一致しないように設定されている。
【００４７】
このような構成は、以下の理由による。
角度変更部６３の第１面６３１に入射された光のうち、内部を透過して第２面６３２に到達した光は、前述のように、正面２１に対する光の入射角が、第１面６３１に対する光の入射角より大きくなって当該第２面６３２から出射される。
一方、内部を透過して第３面６３３に到達した光は、当該第３面６３３で第２面６３２側に全反射されてしまうか、或いは、当該第３面６３３にて屈折されて出射される。これらの光は、前述の有効反射領域ＡＲに入射しづらい。
【００４８】
このため、スクリーン１Ａを正面視した際に、基準点ＳＰ１の位置と基準点ＳＰ２の位置とが一致する場合で、Ｂ方向における各角度変更部６３の配列周期と、Ａ方向における各レンズ要素３の配列周期とが一致し、更に、レンズ要素３におけるＡ方向の寸法と、当該レンズ要素３に向けて光を出射する角度変更部６３におけるＢ方向の寸法の整数倍とが一致してしまうと、レンズ要素３において第３面６３３を介して投射光ＰＬが入射される位置が、各レンズ要素３で固定されてしまうこととなる。このような位置が、有効反射領域ＡＲ内に含まれてしまうと、観察位置ＶＰに反射される投射光ＰＬの光量が減少してしまうため、表示画像の輝度が低下する他、当該表示画像に輝度むらが生じやすくなる。
【００４９】
これに対し、本実施形態では、Ｂ方向における各角度変更部６３の配列周期と、Ａ方向における各レンズ要素３の配列周期とを異ならせ、更にレンズ要素３のＡ方向の寸法と、対応する角度変更部６３のＢ方向の寸法の整数倍とが一致しないように設定されている。
これにより、スクリーン１Ａを正面視した際に、基準点ＳＰ１の位置と基準点ＳＰ２の位置とが一致する場合でも、Ａ方向に配列されたレンズ要素３において、第３面６３３を介して光が入射される位置を、各レンズ要素３でばらつかせることができる。従って、第３面６３３に投射光ＰＬが入射されることによる表示画像の輝度低下を抑制できる他、当該表示画像に輝度むらが生じることを抑制できる。
【００５０】
〔プロジェクターからの投射光〕
プロジェクター９から投射される投射光ＰＬは、前述のように、円偏光により構成されている。これは以下の理由による。
投射光ＰＬが上記各色光により構成され、当該各色光のうちのいずれかの色光がＳ偏光であり他の色光がＰ偏光である場合には、基板６の下側左右両端の角度変更部６３（第２面６３２の傾斜角が大きく、かつ、水平に近い角度で投射光ＰＬが入射される角度変更部６３）に当該投射光ＰＬが入射されると、当該角度変更部６３を透過する際の光の損失がＳ偏光とＰ偏光とで異なる。このため、スクリーン１Ａに表示される画像に色むらが生じてしまう。
【００５１】
一方、各色光の偏光方向が同一であれば、同じ位置の角度変更部６３に入射された光はそれぞれ同様に減衰することとなるので、色むらの発生は抑制される。しかしながら、このような場合、スクリーン１Ａに対する光の入射位置に応じて、当該光の反射効率が異なるため、表示画像全体において輝度むらが生じてしまう。
これに対し、投射光ＰＬが円偏光である場合には、このような光のロスが生じにくいため、表示画像に前述の色むら及び輝度むらの発生が抑制される。
【００５２】
以上説明した本実施形態に係るスクリーン１Ａによれば、以下の効果がある。
すなわち、スクリーン本体２の正面側には、空気層ＡＬを介して基板６が配置され、当該基板６には、出射位置ＰＰ（スクリーン１Ａを正面視した際に基準点ＳＰ２と重なる位置）から離れるに従って厚さ寸法が連続的に大きくなる角度変更部６３が複数形成されている。そして、当該角度変更部６３におけるスクリーン本体２側の第２面６３２は、出射位置ＰＰ側の第１面６３１に対して傾斜している。これによれば、基板６及び空気層ＡＬが無い場合に比べて、スクリーン本体２の正面２１に入射される投射光ＰＬ（ＰＬ１）の入射角を大きくすることができ、ひいては、当該投射光ＰＬ１の密度を高めることができる。従って、レンズ要素３の有効反射領域ＡＲに入射される光の光量を多くすることができるので、表示画像の輝度を向上できる。
【００５３】
それぞれの角度変更部６３は、断面視略直角台形状を有し、Ｂ方向に沿って配列されているため、背面６２の断面形状は鋸歯状となる。このため、基板６が１つの角度変更部６３により構成されている場合に比べて、基板６の厚さ寸法を小さくすることができる。従って、スクリーン１Ａの厚さ寸法が不要に大きくなることを抑制できる。
【００５４】
それぞれの角度変更部６３は、基準点ＳＰ２を中心とする略同心真円の一部を構成する円弧状の基準線ＳＬ２に応じて形成されるので、角度変更部６３は、それぞれ略同心真円状に形成される。そして、これら角度変更部６３は、当該基準点ＳＰ２からの放射方向であるＢ方向に沿って配列されている。このため、出射位置ＰＰから出射された光は、当該光が入射される角度変更部６３における円弧の接線に対して垂直に入射される。これによれば、レンズ要素３が形成された正面２１に入射される光の前述の入射角を最も大きくすることができる。従って、有効反射領域ＡＲに入射される光の光量を確実に増加させることができ、表示画像の輝度を一層向上できる。
【００５５】
また、各レンズ要素３は、基準点ＳＰ１を中心とする円弧状の複数の基準線ＳＬ１に沿って配列されている。これによれば、互いに平行な直線状の基準線に沿ってレンズ要素が複数配列されたスクリーン本体が用いられる場合に比べ、各レンズ要素３の有効反射領域ＡＲに、光を入射させやすくすることができる。従って、表示画像の輝度を向上できる。
【００５６】
Ｂ方向における各角度変更部６３の配列周期と、Ａ方向における各レンズ要素３の配列周期とは異なり、更に、レンズ要素３におけるＡ方向の寸法は、対応する角度変更部６３におけるＢ方向の寸法の整数倍と一致しない。これによれば、スクリーン１Ａを正面視した際に基準点ＳＰ１の位置と基準点ＳＰ２の位置とが一致する場合でも、各レンズ要素３において、第３面６３３からの光が入射される位置をばらつかせることができるので、スクリーン１Ａ全体で反射される光を均一化できる。従って、前述の輝度むらの発生を抑制できる。
【００５７】
正面６１及び背面６２には反射防止層が形成されているので、当該各面６１，６２に入射される光の光量を増加させることができる。従って、表示画像の輝度を一層向上できる。この他、外光が正面６１にて観察位置に向けて反射されることが抑制されるので、表示画像のコントラストを向上できる。
第１面６３１により構成される正面６１は平面状であるので、当該正面６１を指し棒で指し示したり、当該正面６１に文字等を記入しやすくすることができる。従って、スクリーン１Ａの汎用性を向上できる。
【００５８】
［第２実施形態］
次に、本発明の第２実施形態について説明する。
本実施形態に係るスクリーンは、前述のスクリーン１Ａと同様の構成を有する。ここで、当該スクリーン１Ａの角度変更部６３は、第２面６３２が正面２１に対して傾斜していた。これに対し、本実施形態に係るスクリーンでは、角度変更部における第１面が正面２１に対して傾斜する。この点で、本実施形態に係るスクリーンと、スクリーン１Ａとは相違する。なお、以下の説明では、既に説明した部分と同一または略同一である部分については、同一の符号を付して説明を省略する。
【００５９】
図１１は、本実施形態に係るスクリーン１Ｂを示す断面図である。詳述すると、図１１は、スクリーン１Ｂの中央近傍におけるＡ方向及びＢ方向とＺ方向とに沿う断面図である。なお、図１１においては、レンズ要素３の形状を半円形状として省略して記載する。
本実施形態に係るスクリーン１Ｂは、図１１に示すように、基板６に代えて基板７を有する他は、前述のスクリーン１Ａと同様の構成を有する。
基板７は、本発明の第１層に相当し、スクリーン本体２の正面２１との間に、本発明の第２層に相当する空気層ＡＬを介して配置される。この基板７は、基板６と同様の構成を有し、当該基板６の正面６１と背面６２とを反転させた形状を有する。
【００６０】
具体的に、基板７は、正面７１及び背面７２を有する他、当該正面７１の延長面上に設定された基準点ＳＰ２（図示省略）を中心とする略同心真円の一部を構成する基準線ＳＬ２に沿って形成された複数の角度変更部７３を有する。これら角度変更部７３は、基準点ＳＰ２からの放射方向であるＢ方向に沿って配列され、当該Ｂ方向及びＺ方向に沿う断面が略直角台形状である。なお、本実施形態では、基準点ＳＰ２は、スクリーン１Ｂを正面視した場合に、基準点ＳＰ１の位置及び出射位置ＰＰの位置と一致する。
【００６１】
そして、角度変更部７３における背面側の面であり、かつ、直角台形において平行な二辺に直交する一辺を構成する第２面７３２は、正面２１と平行な平面である背面７２を構成する。
また、角度変更部７３における正面側の面であり、かつ、直角台形において当該一辺の対辺を構成する第１面７３１は、第２面７３２と平行な面に対して傾斜角θ１で傾斜した平面である。このため、角度変更部７３は、出射位置ＰＰから離れるに従って厚さ寸法が大きくなるよう形成されている。
【００６２】
更に、第１面７３１及び第２面７３２において基準点ＳＰ２及び出射位置ＰＰから遠い側の端部間を接続する方向に延出する第３面７３３は、基板７の正面側において、Ｂ方向に隣接する角度変更部７３の各第１面７３１を接続する。そして、第３面７３３及び第１面７３１により、Ｂ方向及びＺ方向に沿う断面形状が鋸歯状である正面７１が構成される。
【００６３】
なお、図示を省略するが、基板７においても基板６と同様に、第１面７３１の傾斜角θ１は、当該第１面７３１を有する角度変更部７３の形成位置に応じて設定され、当該傾斜角θ１は、出射位置ＰＰから離れるに従って小さくなるように設定される。
また、Ｂ方向における各角度変更部７３の配列周期と、Ａ方向における各レンズ要素３の配列周期とは異なっており、更に、レンズ要素３におけるＡ方向の寸法と、対応する角度変更部７３におけるＢ方向の寸法の整数倍とは一致しないように設定されている。
更に、正面７１及び背面７２の表面には、前述の反射防止層が形成されている。
このような基板７を有するスクリーン１Ｂによれば、前述のスクリーン１Ａと同様の効果を奏することができる。
【００６４】
［第３実施形態］
次に、本発明の第３実施形態について説明する。
本実施形態に係るスクリーンは、前述のスクリーン１Ａ，１Ｂと同様の構成を有する。ここで、スクリーン１Ａでは背面６２が断面視鋸歯状に形成され、スクリーン１Ｂでは正面７１が断面視鋸歯状に形成されていた。これに対し、本実施形態に係るスクリーンでは、基板の正面及び背面がそれぞれ断面視鋸歯状に形成されている。この点で、本実施形態に係るスクリーンと、当該スクリーン１Ａ，１Ｂとは相違する。なお、以下の説明では、既に説明した部分と同一または略同一である部分については、同一の符号を付して説明を省略する。
【００６５】
図１２は、本実施形態に係るスクリーン１Ｃを示す断面図である。詳述すると、図１２は、スクリーン１Ｃの中央近傍におけるＡ方向及びＢ方向とＺ方向とに沿う断面図である。なお、図１２においては、レンズ要素３の形状を半円形状として省略して記載する。
本実施形態に係るスクリーン１Ｃは、図１２に示すように、基板６に代えて基板８を有する他は、前述のスクリーン１Ａと同様の構成を有する。
基板８は、本発明の第１層に相当し、スクリーン本体２の正面２１に対する出射位置ＰＰ側（光の入射側）に、本発明の第２層に相当する空気層ＡＬを介して配置される。この基板８は、当該基板８の背面８２の延長面上に設定された基準点ＳＰ２を中心とする略同心真円の一部を構成する円弧状の複数の基準線ＳＬ２に沿って形成された断面視略台形状の複数の角度変更部８３を有する。
【００６６】
これら角度変更部８３は、Ｂ方向に沿って配列されており、各角度変更部８３は、出射位置ＰＰから離れるに従って厚さ寸法が連続的に大きくなるように形成されている。なお、本実施形態においても、基準点ＳＰ２は、スクリーン１Ｃを正面視した際に基準点ＳＰ１の位置及び出射位置ＰＰの位置と一致する。
これら各角度変更部８３における正面側の第１面８３１及び第３面８３３は、基板８の正面８１を構成し、また、各角度変更部８３における背面側の第２面８３２及び第３面８３３は、基板８の背面８２を構成する。このため、正面８１及び背面８２は、Ｂ方向及びＺ方向に沿う平面での断面が、それぞれ鋸歯状となっている。
【００６７】
このような角度変更部８３における第１面８３１及び第２面８３２の正面２１（より詳しくは、正面２１の凹凸を平均化した仮想平面）に対する傾斜角は適宜設定されるが、当該角度変更部８３の形成位置が基準点ＳＰ２から離れるに従って当該傾斜角が小さくなる点については、前述の基板６，７と同様である。
また、Ｂ方向における各角度変更部８３の配列周期と、Ａ方向における各レンズ要素３の配列周期とは異なり、また、レンズ要素３におけるＡ方向の寸法と、対応する角度変更部８３におけるＢ方向の寸法の整数倍とが一致しないように設定されている。
更に、正面８１及び背面８２の表面には、前述の反射防止層が形成されている。
このような基板８を有するスクリーン１Ｃによれば、前述のスクリーン１Ａと同様の効果を奏することができる。
【００６８】
［実施形態の変形］
本発明は前述の実施形態に限定されるものではなく、本発明の目的を達成できる範囲での変形、改良等は本発明に含まれるものである。
前記各実施形態で示した角度変更部の第１面及び第２面の傾斜角θ１は、プロジェクター９の設置位置等に基づいて、適宜変更可能である。
【００６９】
前記各実施形態では、基板６〜８とスクリーン本体２との間には、第２層としての空気層ＡＬが介装されているとしたが、本発明はこれに限らない。すなわち、基板６〜８とスクリーン本体２との間に、第１層としての基板６〜８よりも屈折率の低い物質を充填してもよい。例えば、当該物質として接着剤を用い、基板６〜８とスクリーン本体２とを接合してもよい。
【００７０】
前記各実施形態では、レンズ要素３におけるＡ方向の寸法が、対応する角度変更部６３，７３，８３におけるＢ方向の寸法の整数倍と一致しないように形成するとしたが、例えば、当該角度変更部におけるＢ方向の寸法をランダムに設定してもよい。すなわち、各レンズ要素において、角度変更部の第３面から出射された光が入射される位置をばらつかせることができれば、Ｂ方向におけるレンズ要素３及び角度変更部の各寸法は、適宜設定可能である。
【００７１】
前記各実施形態では、３つの液晶パネルを有する光変調装置を備えたプロジェクターを例示したが、本発明はこれに限らない。すなわち、２つ以下、あるいは、４つ以上の液晶パネルを有する光変調装置を備えたプロジェクターも利用可能である。更に、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクターを利用することもできる。
【００７２】
前記各実施形態では、レンズ要素３は、正面２１の延長面２２上に設定された基準点ＳＰ１を中心とする円弧状に配列されているとしたが、本発明はこれに限らず、正面２１上に基準点ＳＰが設定されていてもよい。また、レンズ要素３及び角度変更部６３，７３，８３は、円弧状の基準線ＳＬ１及び基準線ＳＬ２に沿って配列及び形成されていなくてもよく、例えば、互いに平行な複数の直線状の基準線に沿ってこれらが配列及び形成されていてもよい。
【００７３】
前記各実施形態では、基板６〜８の正面６１，７１，８１及び背面６２，７２，８２には、反射防止層が形成されているとしたが、本発明はこれに限らない。すなわち、正面及び背面のいずれかに反射防止層が形成されていてもよく、更には、反射防止層が形成されていなくてもよい。
【００７４】
前記各実施形態では、第１基準点としての基準点ＳＰ２、第２基準点としての基準点ＳＰ１、及び、出射位置ＰＰは、スクリーン１Ａ〜１Ｃを正面視した際に、それぞれ一致するとしたが、本発明はこれに限らない。すなわち、基準点ＳＰ１，ＳＰ２及び出射位置ＰＰは、それぞれ一致しなくてもよく、出射位置ＰＰと、基準点ＳＰ１，ＳＰ２のいずれかとが一致してもよい。なお、スクリーンを正面視した際に角度変更部の基準点と出射位置とが一致することにより、当該角度変更部により、スクリーン本体の正面に対する投射光の入射角を最大にできる。この場合、レンズ要素の基準点と光の出射位置とは一致しなくてもよい。
【００７５】
前記実施形態では、角度変更部６３，７３，８３の基準点ＳＰ２は、正面６１の延長面６１Ａ、正面７１の延長面、及び、背面８２の延長面上に設定されるとしたが、本発明はこれに限らない。例えば、基板の厚さ方向の中央を通り、かつ、当該基板の正面又は背面の凹凸を平均化した仮想平面に沿う他の仮想平面を定義し、当該他の仮想平面上に、角度変更部の基準点を設定してもよい。
【産業上の利用可能性】
【００７６】
本発明は、画像が投射される反射型のスクリーンに好適に利用できる。
【符号の説明】
【００７７】
１Ａ〜１Ｃ…スクリーン、２…スクリーン本体、３（３Ａ，３Ｂ）…レンズ要素、６〜８…基板（第１層）、２１…正面（反射面）、６３，７３，８３…角度変更部、６３１，７３１，８３１…第１面、６３２，７３２，８３２…第２面、６３３，７３３，８３３…第３面、ＡＬ…空気層（第２層）、ＰＰ…出射位置、ＳＬ１…基準線、ＳＰ１…基準点（第２基準点）、ＳＰ２…基準点（第１基準点）。
【図１】
2013011666.tif 000003
【図２】
2013011666.tif 000004
【図３】
2013011666.tif 000005
【図４】
2013011666.tif 000006
【図５】
2013011666.tif 000007
【図６】
2013011666.tif 000008
【図７】
2013011666.tif 000009
【図８】
2013011666.tif 000010
【図９】
2013011666.tif 000011
【図１０】
2013011666.tif 000012
【図１１】
2013011666.tif 000013
【図１２】
2013011666.tif 000014